(57)【要約】【課題】防犯効果の高いサッシ窓を提供する。【解決手段】内召合わせ框１８Ｂに設けられた施錠手段３０に対し、この施錠手段の解錠を行うことができる解錠治具の解錠操作を妨げる阻止手段５０が内召合わせ框１８Ｂ又は外召合わせ框１８Ａ側に設けられている。阻止手段は、内召合わせ框１８Ｂの上端面と上レール２２，２４の空間４２の一部を閉塞する閉塞板５０Ａである。外召合わせ框１８Ａ側に取り付けるときは、Ｌ字状板体が使用される。閉塞板５０Ａによって空間４２のうち、特に室内側の空隙が閉塞されるから、施錠手段を解錠するために使用される解錠治具の空間４２側からの室内への侵入を阻止できる。これによって、解錠治具による施錠手段に対する解錠操作を確実に阻止できるため、防犯効果の高いサッシ窓を実現できる。【選択図】  図１
0003155232.tif 000002
【実用新案登録請求の範囲】
【請求項１】
内召合わせ框に設けられた施錠手段に対し、この施錠手段の解錠を行うことができる解錠治具の解錠操作を妨げる阻止手段が上記内召合わせ框又は外召合わせ框側に設けられた
ことを特徴とするサッシ窓。
【請求項２】
上記阻止手段は、上記内召合わせ框の上端面と上レールとの空間の一部を閉塞する閉塞板である
ことを特徴とする請求項１記載のサッシ窓。
【請求項３】
上記阻止手段は、上記内召合わせ框の上端面と外召合わせ框および上レールとの空間の一部を閉塞する閉塞板である
ことを特徴とする請求項１記載のサッシ窓。
【請求項４】
上記阻止手段は、平板又はＬ字状の板体であり、ビスまたは面ファスナーによって上記内召合わせ框又は外召合わせ框側の上框に取り付けられる
ことを特徴とする請求項１〜３何れか１項記載のサッシ窓。
【請求項５】
Ｌ字状板体で構成される阻止手段は、上記施錠手段よりも上面であって、上記施錠手段よりも上端側に位置する内召合わせ框側に設けられた
ことを特徴とする請求項１記載のサッシ窓。
【請求項６】
上記施錠手段が取り付けられた内召合わせ框側より外召合わせ框側まで貫通するように開閉阻止用の補助ピンが設けられたことを特徴とする請求項１〜５何れか１項記載のサッシ窓。
【考案の詳細な説明】
【技術分野】
【０００１】
この考案はサッシ窓に関する。特に、施錠手段が簡単に解錠できないような阻止手段を備えたサッシ窓に関する。
【背景技術】
【０００２】
住宅などで多用されている例えばアルミサッシ製の引き違い窓（サッシ窓）で、股木式のものは図１８に示すような構造となっている。
【０００３】
図１８は左前の構成例であって、左前（屋外）側を左側にして図示したときの図である。躯体の窓枠のうち上部窓枠側には、並行する２本の上レールからなるレール部材２０が固定され、床面側に突出した所定長の外側上レール２２には外窓１０Ａが嵌め込まれ、そして同様構成の内側上レール２４には内窓１０Ｂが嵌め込まれる。
【０００４】
そのため、それぞれの外窓１０Ａおよび内窓１０Ｂを構成する框のうち上框（外側上框１２Ａおよび内側上框１２Ｂ）には、左右の上レール２２，２４を跨いで嵌め込みができるような嵌合溝１４Ａ、１４Ｂが設けられている。
【０００５】
それぞれの嵌合溝１４Ａ，１４Ｂには断面Ｕ字状をなす緩衝部材４６Ａ，４６Ｂ取着されている。上レール２２，２４と嵌合溝１４Ａ，１４Ｂとが直接接触しないようにするためである。
【０００６】
内窓１０Ｂの内召合わせ框１８Ｂの側面所定位置には施錠手段３０が取り付けられている。施錠手段３０としては周知の施錠手段（図では、クレセント錠）が、外窓１０Ａの外ガラス１６Ａと対峙するように取り付けられている。
【０００７】
ここで、外窓１０Ａと内窓１０Ｂを窓枠に設置するには、それぞれの嵌合溝１４Ａ，１４Ｂに対応する上レール２２，２４を挟み込んだ状態で、上レール２２，２４側に持ち上げて窓枠の下レールに戸車（何れも、図示はしない）を嵌め込む。これで窓枠へのサッシ窓１０の設置が完了する。
【０００８】
このように外窓１０Ａと内窓１０Ｂのそれぞれを上方に持ち上げた状態で設置するため、上レール２２，２４の高さはそれぞれ所定の長さに選定されると共に、上レール２２，２４の端部と嵌合溝１４Ａ，１４Ｂの底部との間には、所定長さの間隙４０が生ずる。
【０００９】
その結果として、並行する２本の上レール２２，２４と上框１２Ａ，１２Ｂとで囲まれる間には、上述した間隙４０に相当する空間（空隙）４２が生ずることになる。この空間は、高さにして１０〜１５ｍｍ程度となる（サッシ窓のメーカによって相違する）。
【００１０】
なお、引き違い戸における防犯対策として従来では特許文献１〜３などが知られている。特許文献１では、外部からの解錠を困難にするも、室内からの解錠を容易にした補助錠が提案されている。特許文献２では、外側上框近くに警報兼ロックプレートを設置する技術が提案されている。特許文献３には、外部からの不正な侵入を防止すると共に、幼児などによる不意の施錠・解錠を防止できるようにしたクレセント錠が開示されている。
【００１１】
何れの技術も、レール部材２０と外側上框１２Ａおよび内側上框１２Ｂとで形成される空間を考慮した防犯技術は開示されていない。
【先行技術文献】
【特許文献】
【００１２】
【特許文献１】特許公開２００８−１２７７７２号公報
【特許文献２】特許公開２００８−１３９８１号公報
【特許文献３】特許公開２００７−１００３７７号公報
【考案の概要】
【考案が解決しようとする課題】
【００１３】
ところで、上述したように上框１２Ａ，１２Ｂの上端面がレール部材２０の天板２６側近くまで来るように上述した戸車の位置を調整すると、窓枠の下側に敷設された下レールより雨滴などが入りやすくなる。そのため、通常はガラス窓が外れない適当な位置で調整することになるが、そうすると、どうしても上述した空隙（上レールの天板２６側と上框１２Ａ，１２Ｂとのなす間隔）は、上述したように１０〜１５ｍｍの間隙となってしまう。
【００１４】
サッシ窓１０を利用する上で必要なこの空隙は、時と場合によっては内召合わせ框１８Ｂに取り付けられた施錠手段３０を、外部から操作できる空隙としても利用できてしまう。
【００１５】
つまり、この空隙を利用して屋外から室内側に、適当に加工された解錠治具を侵入させることができなくはない。侵入されてしまうと施錠手段を操作することも可能になり兼ねないからである。
【００１６】
そこでこの考案はこのような従来の課題を解決したものであって、上レールと上框との間の空間、空隙からの侵入を阻止できる阻止手段を備えたサッシ窓を提案するものである。
【課題を解決するための手段】
【００１７】
上述の課題を解決するためこの考案に係るサッシ窓は、内召合わせ框に設けられた施錠手段に対し、この施錠手段の解錠を行うことができる解錠治具の解錠操作を妨げる阻止手段が上記内召合わせ框又は外召合わせ框側に設けられたことを特徴とする。
【００１８】
阻止手段は、解錠操作としても使用できるようにした解錠治具が上レールと上框との間の空隙から室内に侵入して施錠手段を操作できないようにするためのものであるから、阻止手段として平板を使用する場合には、この空隙の一部をそのまま閉塞できる閉塞板を、空隙内に臨むように内召合わせ框側に取り外し自在に取り付ける。取り外せるようにするのは、閉塞板を外さないと、ガラス窓を外すことができないからである。
【００１９】
阻止手段としてＬ字状の板体を使用するときは、内召合わせ框の側面に合わせて、外召合わせ框に連なる上框に取り外し自在に取り付ける。そうすると、Ｌ字状板体の遊端側が内召合わせ框の側面と対峙するため、上述の空隙を通して解錠治具が侵入しても、このＬ字状板体で施錠手段側への侵入を阻止できる。
【００２０】
この場合の阻止手段は、外出するときなど防犯が必要なときに取り付ける。そうしないと、ガラス窓の開閉操作ができなくなるからである。したがって、外出から戻ったときには、この阻止手段を外しておくことになる。
【００２１】
阻止手段として、Ｌ字状板体を使用する場合は、さらに施錠手段に近接した位置であって、施錠手段の上端側の内召合わせ框側面に取り付けることもできる。こうすれば、Ｌ字状板体の遊端部が施錠手段の上面側を塞ぐので解錠治具がたとえ侵入しても施錠手段の解錠操作を阻止できる。
【００２２】
施錠手段の近くに阻止手段であるＬ字状板体をセットできるので、阻止手段の取り付け、取り外しを簡単に行うことができる。施錠手段の近くに阻止手段を設置する場合には、阻止手段が取り付けられていても、ガラス窓の開閉に支障を来さないので、外出の都度取り付ける必要はない。したがってこの阻止手段は常設でもよい。
【００２３】
阻止手段は、サッシ窓の備品としてあるいは補助備品（部品）として提供できる。
【考案の効果】
【００２４】
ガラス窓の上框と上レールとの空隙からの侵入を阻止するか、侵入しても施錠手段を操作できないようにすることができるから、サッシ窓の解錠を確実に阻止できるようになり、防犯に優れたサッシ窓を提供できる。
【図面の簡単な説明】
【００２５】
【図１】この考案に係るサッシ窓の一例を示す要部の縦断面図である。
【図２】その平面図である。
【図３】この考案に使用した阻止手段の一例を示す構成図である。
【図４】阻止手段の他の例を示す構成図である（その１）
【図５】阻止手段の他の例を示す構成図である（その２）。
【図６】阻止手段の他の例を示す構成図である（その３）。
【図７】阻止手段の他の例を示す構成図である（その４）
【図８】阻止手段の他の例を示す構成図である（その５）。
【図９】この考案の他の例を示す図１と同様な要部断面図である。
【図１０】その平面図である。
【図１１】その上面図である。
【図１２】この考案の他の例を示す図１と同様な要部断面図である。
【図１３】その平面図である。
【図１４】図１２の変形例を示す要部縦断面図である。
【図１５】その平面図である。
【図１６】この考案の他の例を示す図１と同様な要部縦断面図である。
【図１７】補強板体の一例を示す構成図である。
【図１８】サッシ窓を説明するための縦断面図である。
【考案を実施するための形態】
【実施例１】
【００２６】
図１はこの考案に係るサッシ窓の一例である。サッシ窓１０としては、股木式の引き違い戸を例示する。引き違い戸としてはさらに左前のサッシ窓を示す。したがって、図１において左側が屋外であり、右側が屋内（室内）であるから、外召合わせ框１８Ａは左側となり、内召合わせ框１８Ｂは右側に位置する。
【００２７】
窓枠に設けられたレール部材２０の平行する２本のレール（上レール）２２，２４のうち、上レール２２には外窓１０Ａを構成する外側上框１２Ａが嵌め込まれる。そのため、外側上框１２Ａの上端中央部には所定の深さの嵌合溝１４Ａが設けられ、この嵌合溝１４Ａで外側上レール２２を挟み込むことで、外側上レール２２に対して摺動自在に取り付けられる。
【００２８】
嵌合溝１４Ａには、Ｕ字状の溝を持った樹脂製の緩衝部材４６Ａが封着され、これによってガラス窓（外窓１０Ａ）のスムーズな開閉操作を実現している。
【００２９】
内窓１０Ｂと内側上レール２４との関係も同じであるので、対応する部分には対応する符号を付してその説明は割愛する。
【００３０】
内召合わせ框１８Ｂの側面所定位置には図１に示すように施錠手段３０が取り付けられる。施錠手段３０としてはクレセントを例示する。この施錠手段３０は周知のように施錠本体３１に回転自在な把手３２ａが設けられ、この把手３２ａにロック片３２が固定されている。
【００３１】
一方、外召合わせ框１８Ａ側には被ロック片３６が取り付け固定され、把手３２ａを回転させてロック片３２を被ロック片３６に係合させることで、ガラス窓を施錠できる。この施錠状態はさらにスライドロック片３４を操作することで固定できる。
【００３２】
この考案では、内召合わせ框１８Ｂに設けられた施錠手段３０に対し、この施錠手段３０の解錠を行うことができる解錠治具の解錠操作を妨げる阻止手段５０が、内召合わせ框１８Ｂ又は外召合わせ框１８Ａ側に設けられる。
【００３３】
図１に示す阻止手段５０は、閉塞板を使用した場合であり、内召合わせ框１８Ｂの上端面とレール部材２０との空間（空隙）４２の一部、特に図２に示すように内側上框１２Ｂの側面を上方に延長した空間領域側を閉塞（遮蔽）するように閉塞板５０Ａが取り付けられる。
【００３４】
閉塞板５０Ａは、図３に示すように平板であって、その本体５２の下部側が取り付け部５４となされ、その上部側が閉塞部５６となされる。閉塞部５６は図１に示すような空間４２の面内を閉塞できるようにするため、空間４２内まで突出したほぼＴ字状をなすような突部として構成される。このうち左側の方が多少長い。これは閉塞板５０Ａが内召合わせ框１８Ｂ側に取り付けられる関係で閉塞部５６のうち左側突部５６ｂの方が右側突部５６ａよりも若干長くなっている。
【００３５】
本体５２のうち、取り付け部５４と閉塞部５６との間には凹部５８が形成されているが、これは嵌合溝１４Ｂに封着された緩衝部材４６Ｂを逃げるための凹みである。
【００３６】
ここで、緩衝部材４６Ｂの形状や大きさには決まりがないが、ほぼ同じ形状と大きさのものが市販されているので、凹部５８はこれらの形状に合わせた長さＬａや深さとなされる。サッシ窓１０の取り付け部５４の長さＬｂは任意である。
【００３７】
閉塞板５０Ａは、内召合わせ框１８Ｂに対して取り付け自在（着脱自在）に取り付けられる。取り外しができるようにしたのは、窓枠から内窓１０Ｂを取り外すことができるようにするためである。
【００３８】
そのため、閉塞板５０Ａは面ファスナー（ベルクロ）を介して内召合わせ框１８Ｂに取り付けるか、またはビス止めされる。図１に示す例は、面ファスナーを利用した場合であって、図２に示すように内召合わせ框１８Ｂの側面６４ａに閉塞板５０Ａの形状に合わせた形状をなす面ファスナー（例えば、メス側ファスナー）６０が貼着固定される。同じく閉塞板５０Ａの面ファスナー６０と対峙する閉塞板５０Ａの面側にオス型の面ファスナー６２が貼着固定される。
【００３９】
ここで、空間４２を介して屋外より閉塞板５０Ａのうち、特に閉塞部５６を押した場合でも簡単に閉塞板５０Ａが内召合わせ框１８Ｂより外れないような保持力が得られる貼着力を持った面ファスナー６０，６２が選ばれる。
【００４０】
内召合わせ框１８Ｂの平面（室内に面する）６４ｂには、保管用に面ファスナー７０が貼着されている。これは閉塞板５０Ａを使用していないときは、この面ファスナー７０に閉塞板５０Ａを貼り付けておくことで、閉塞板５０Ａを保管できる。
【００４１】
閉塞板５０Ａは、アルミ材、ステンレス材、プラスチック材などを使用して加工したものが使用される。大きさの一例を説明すると、この実施例では全長が１１０ｍｍ、長さＬａが４０ｍｍ、Ｌｂが６０ｍｍ、閉塞部５６の幅が３０ｍｍである。この寸法はあくまでも一例に過ぎない。
【００４２】
さて、このように構成された閉塞板５０Ａは、図１に示すように２本の上レール２２，２４と内外の召合わせ框１８Ａ、１８Ｂの上端面との間に形成された空間（空隙）４２の一部を閉塞するように取り付けられる。閉塞板５０Ａによって空間４２の全てが閉塞されるのではない。図２に示すように、空間４２のうち、特に室内側の空隙部分が閉塞板５０Ａによって閉塞される。
【００４３】
空間４２を利用して施錠手段３０を解錠しようとする場合には、解錠治具を矢印ａ方向から室内側に侵入させるが、このとき閉塞板５０Ａによってその侵入が阻止される。これによって、施錠手段３０の解錠操作をほぼ確実に妨げることができ、防犯上極めて有効な手段となる。
【００４４】
図４以下に閉塞板５０Ａの変形例を示す。図４はビス止めによって内召合わせ框１８Ｂに閉塞板５０Ａを取り付けられるようにした例である。図３の構成と相違する点のみ記述すると、この例は２つの長孔６６ａ、６６ｂが設けられ、内召合わせ框１８Ｂ側にビス孔を開けることで閉塞板５０Ａを取り付けることができる。
【００４５】
長孔６６ａ，６６ｂとしたのは、メーカによって緩衝部材４６Ｂの長さなどが相違しても確実に内召合わせ框１８Ｂの側面６４ａに取り付けられることを考慮したためである。
【００４６】
図５の例は、図３に対応する変形例であって、閉塞部５６として内召合わせ框１８Ｂの上端面側の空間（空隙）４２の一部を閉塞できるようにした場合である。右側突部５６ａのみを備えている。この構成でも十分な阻止効果が得られる。
【００４７】
図６は、ビス止め可能な図４に対応した変形例であって、図５と同様に右側突部５６ａのみ備えた閉塞部５６を有する閉塞板５０Ａを示す。
【００４８】
図７の例は、図３に対応する変形例であって、閉塞部５６として内召合わせ框１８Ｂの上端面側の空間（空隙）４２の一部を閉塞できるようにした場合である。単なる突出片となっているが、これでもこの突出片と内側上レール２４とのなす空間が殆どなくなるため、解錠治具に対する侵入を阻止でき、十分な阻止効果が得られる。
【００４９】
図８は、ビス止め可能な図４に対応した変形例であって、図７と同様に突出片のみ備えた閉塞部５６を有する閉塞板５０Ａを示す。
【実施例２】
【００５０】
上述した閉塞板５０Ａは平板構成である。図９〜図１１に示すのは、Ｌ字状板体からなる閉塞板（以下、Ｌ字状板体という）５０Ｂを使用した阻止手段の例を示す。Ｌ字状板体５０Ｂであるため、このＬ字状板体５０Ｂは図９および図１１に示すように、外召合わせ框１８Ａに連結された上框（外側上框）１２Ａの内側平面に取り付けられる。
【００５１】
Ｌ字状板体５０Ｂのうち固定片８０ａは、外側上框１２Ａのうち内召合わせ框１８Ｂの側面と対峙するように、この内召合わせ框１８Ｂの側面に近接した位置に取り付けられる。このように取り付けると、固定片８０ａに連なる遊端片８０ｂは図９のように内召合わせ框１８Ｂに対して垂直に起立した状態となる。
【００５２】
内召合わせ框１８Ｂと対峙する遊端片８０ｂの一部には、ゴム材などで加工された緩衝部材８２が取着され、内召合わせ框１８Ｂが遊端片８０ｂに当接した場合でも、遊端片８０ｂによって内召合わせ框１８Ｂが傷つかないようにしてある。
【００５３】
外側上框１２Ａに対するＬ字状板体５０Ｂの固定は、図１の実施例のように面ファスナーを使用して取り付けるか、ビス止めによる。何れの手段でも採用できる。図９に示したのは、面ファスナー６６，６８を使用してＬ字状板体５０Ｂを外側上框１２Ａに取り付け固定した場合である。外側上框１２Ａ側に面ファスナー６６が貼着固定され、Ｌ字状板体５０Ｂのうち固定片８０ａ側に他方の面ファスナー６８が貼着固定される。面ファスナー６６，６８を使用することでＬ字状板体５０Ｂの取り外しが自在となるので、この場合もその保管用として内召合わせ框１８Ｂ側の内側上框１２Ｂの面にＬ字状板体５０Ｂの一時保管用の面ファスナー（貼り付け用面ファスナー）８４が設けられる。
【００５４】
このように外召合わせ框１８Ａ側の外側上框１２ＡにＬ字状板体５０Ｂを取り付けると、図１１のように内召合わせ框１８Ｂの側面側を、遊端片８０ｂが塞ぐ形でＬ字状板体５０Ｂが取り付けられることになる。図９にも示すように、この取り付け状態では内召合わせ框１８Ｂと外召合わせ框１８Ａのそれぞれの上端側に形成される空間４２の一部は閉塞されていないので、遊端片８０ｂまでは解錠治具が到達する。しかし遊端片８０ｂまで到達できても、それより下側への侵入は、この遊端片８０ｂによって阻まれるので、施錠手段３０側までの到達を確実に阻止できる。これによって解錠操作を阻止できる。
【００５５】
外出時のような防犯を行うときのみ、Ｌ字状板体５０Ｂを外側上框１２Ａに取り付け、帰宅したような防犯を解除したいときは外して面ファスナー８４側を用いて保管する。
【００５６】
サッシ窓１０のサイズが大きいときは、外側上框１２ＡにＬ字状板体５０Ｂをセットすることが困難である。そのような場合には、施錠手段３０に近接した位置にセットすることもできる。図１２および図１３を参照して説明する。
【００５７】
図１２および図１３に示すように、施錠手段３０の上側であって、これと近接した位置に、施錠手段３０を塞ぐようにＬ字状板体５０Ｂが取り付けられる。つまり、遊端片８０ｂが施錠手段３０の施錠本体３１端面（短辺側）と並行するように設置される。
【００５８】
この場合においても遊端片８０ｂによって解錠治具の侵入を阻止し、施錠手段３０の解錠操作に支障を来すように、Ｌ字状板体５０Ｂが近接配置される。
【００５９】
内召合わせ框１８Ｂへの取り付けは、図１３のように面ファスナー６６，６８による場合の他に、ビス止めも考えられる。この場合にはビス止めによってＬ字状板体５０Ｂを内召合わせ框１８Ｂに常設してもガラス窓の開閉には支障を来さないからである。
【実施例３】
【００６０】
図１４および図１５は、上述した実施例を組み合わせた例である。つまり、平板状の閉塞板５０ＡとＬ字状板体（閉塞板）５０Ｂとを組み合わせた二重の防犯対策例を示す。ただし、取り付け固定手段としては何れも面ファスナーを使用した場合である。
【００６１】
この場合には、仮に平板状の閉塞板５０Ａが空間４２内を侵入した解錠治具によって押し倒されたとしても、Ｌ字状板体５０Ｂによって、遊端片８０ｂより下面への侵入を確実に阻止できる。
【実施例４】
【００６２】
図１６は、図１に示す実施例に対するさらに他の例を示すもので、平板状の閉塞板５０Ａが面ファスナー６０，６２によって内召合わせ框１８Ｂに取り付けられている場合の実施例である。
【００６３】
この例では、施錠手段３０の下側の所定位置に、内召合わせ框１８Ｂから外召合わせ框１８Ａの内側壁まで貫通する貫通孔９０ａ〜９０ｃを穿設する。この貫通孔９０ａから９０ｃまで到達する補助ピン９２を差し込む。補助ピン９２は、図のように先端が丸みを帯びたピンであって、他端部に把持部９４が取着されたものである。
【００６４】
内召合わせ框１８Ｂに穿設された一対の貫通孔９０ａ，９０ｂに差し亘るようにプラスチック製の鍔付きガイド管９８が内挿される。ガイド管９８の内径は補助ピン９２の外径に合わせてある。ガイド管９８は補助ピン９２を外召合わせ框１８Ａまで簡単に挿入できるようにするためのガイドとして機能する。
【００６５】
内召合わせ框１８Ｂと対峙する外召合わせ框１８Ａの一面であって貫通孔９０ｃの外周には補強板１００が貼着される。外召合わせ框１８Ａとしてアルミニウムなどの素材が使用されているときはその肉厚が薄いので、補強板１００は使用中の変形などを考慮してその補強用として用いられる。
【００６６】
補強板１００は、図１７に示すようにアルミニウムやステンレス製の平板構成であって、その面内には複数、この例では３個の透孔１０１ａ〜１０１ｃが位置をずらして穿設される。ここで、透孔１０１ａ側が外召合わせ框１８Ａの外ガラス１６Ａ側に位置し、透孔１０１ｃが内召合わせ框１８Ｂの内ガラス１６Ｂ側に位置するように、補強板１００が外召合わせ框１８Ａに貼着されるものとする。
【００６７】
複数個の透孔１０１ａ〜１０１ｃを穿設したのは、外召合わせ框１８Ａの厚みを考慮して使用する透孔を選択できるようにしたもので、厚みが薄く、外召合わせ框１８Ａに挟持される外ガラス１６Ａの面と外召合わせ框１８Ａの一面との間隙が狭いときには、透孔１０１ｃ側が補助ピン９２の貫通用透孔として使用される。
【００６８】
こうすれば、外ガラス１６Ａの端面に対する補助ピン９２の貫通位置が僅かに離れるようになり、補助ピン９２によるガラスの破損を回避できるからである。補助ピン９２は単一長のものを使用できる他、框の厚みに応じて長さの異なる複数の補助ピン９２を用意してもよい。
【００６９】
外出するときに、この補助ピン９２を貫通孔９０ａから貫通孔９０ｃまで通るように差し込んでおけば、解錠治具がたとえ閉塞板５０Ａを押し倒し、内召合わせ框１８Ｂに沿って施錠手段３０側まで侵入して解錠操作を行い、解錠操作が仮に成功したとしても、補助ピン９２を引き出さない限り、サッシ窓１０を開けることはできない。補助ピン９２を引き出すことは殆ど不可能であるから、これによって確実な防犯を実現できる。
【００７０】
なお、補助ピン９２の把持部９４に面ファスナーを貼着すると共に、内召合わせ框１８Ｂ側にも保管用に面ファスナーを貼着しておけば、不使用中の補助ピン９２が無くなるおそれはない。
【００７１】
補助ピン９２の利用は、上述した全ての実施例に適用して同様な効果を得ることできるものであるが、その詳細な説明は割愛する。
【００７２】
このように何れの実施例においても、解錠治具の侵入を効果的に阻止するか、解錠治具が侵入したときでも施錠手段３０に対する解錠操作を阻止できるので、施錠手段３０が不用意に解錠される虞はなく、極めて防犯効果の高いサッシ窓を少ない部品構成で、安価に提供できる。既に設置されているサッシ窓にも簡単に取り付けることができるのもこの考案における１つの特徴であって、その場合の施工作業やそれに伴う施行費も割安となるので経済性にも優れている。
【産業上の利用可能性】
【００７３】
この考案は、住宅を始めとして建物に取り付けられるあらゆるサッシ窓に適用できる。
【符号の説明】
【００７４】
１０・・・サッシ窓
１０Ａ・・・外窓
１０Ｂ・・・内窓
１２Ａ・・・外側上框
１２Ｂ・・・内側上框
１４Ａ、１４Ｂ・・・嵌合溝、
１８Ａ・・・外召合わせ框
１８Ｂ・・・内召合わせ框
２２・・・外側上レール
２４・・・内側上レール
３０・・・施錠手段
４２・・・空間（空隙）
５０・・・阻止手段
５０Ａ・・・閉塞板
５０Ｂ・・・Ｌ字状板体
９２・・・補助ピン
【図１】
0003155232.tif 000003
【図２】
0003155232.tif 000004
【図３】
0003155232.tif 000005
【図４】
0003155232.tif 000006
【図５】
0003155232.tif 000007
【図６】
0003155232.tif 000008
【図７】
0003155232.tif 000009
【図８】
0003155232.tif 000010
【図９】
0003155232.tif 000011
【図１０】
0003155232.tif 000012
【図１１】
0003155232.tif 000013
【図１２】
0003155232.tif 000014
【図１３】
0003155232.tif 000015
【図１４】
0003155232.tif 000016
【図１５】
0003155232.tif 000017
【図１６】
0003155232.tif 000018
【図１７】
0003155232.tif 000019
【図１８】
0003155232.tif 000020
【手続補正書】
【提出日】平成21年8月27日(2009.8.27)
【手続補正１】
【補正対象書類名】実用新案登録請求の範囲
【補正対象項目名】請求項５
【補正方法】変更
【補正の内容】
【請求項５】
上記Ｌ字状板体で構成される阻止手段は、上記施錠手段よりも上面であって、上記施錠手段よりも上端側に位置する内召合わせ框側に設けられた
ことを特徴とする請求項４記載のサッシ窓。